(57)【要約】  この駒弾き玩具は、例えばビー玉など遊びに使う駒を弾いて遊ぶための玩具であって、玩具本体と、前記玩具本体に設けられた弾き片と、前記玩具本体上に置かれた駒を前記弾き片の先端に向かって移動させる押推部材と、前記玩具本体に変位可能に設けられ、ユーザに操作されることにより前記弾き片を拘束する拘束部材とを備える。前記玩具本体に装填された駒は、前記弾き片に作用する拘束力を利用して玩具本体から弾き出される。
2013114534.tif 000002
【特許請求の範囲】
【請求項１】
玩具本体と、
前記玩具本体に設けられた弾き片と、
前記玩具本体上に置かれた駒を前記弾き片の先端に向かって移動させる押推部材と、
前記玩具本体に変位可能に設けられ、ユーザに操作されることにより前記弾き片を拘束する拘束部材とを備え、
前記駒を、前記弾き片に作用する拘束力を利用して弾く駒弾き玩具。
【請求項２】
前記弾き片が対をなし、
前記拘束部材は、これら対をなす弾き片の先端間の距離が前記駒の幅よりも短くなるように拘束する請求項１に記載の駒弾き玩具。
【請求項３】
前記弾き片は、前記操作部材との間に介在する中継部を有し、
前記中継部は、前記操作部材から前記中継部に作用する力を、その力の作用する方向を転換したうえで前記弾き片に伝達する請求項１または２に記載の駒弾き玩具。
【請求項４】
前記拘束部材は、前記玩具本体に対して推下可能に支持されている請求項１から３のいずれか一項に記載の駒弾き玩具。
【請求項５】
前記操作部材は、前記玩具本体に回動可能に支持されたレバー部材である請求項１から３のいずれか一項に記載の駒弾き玩具。
【請求項６】
前記拘束部材および前記中継部にそれぞれ形成されたラックと、
前記拘束部材と前記中継部との間に配設され、前記ラックに噛み合うピニオンギアとを有する請求項１から３のいずれか一項に記載の駒弾き玩具。
【請求項７】
前記拘束部材は、相互にピン結合された第一および第二バーであり、
前記第一および第二バーの基端を操作することにより、前記第一および第二バーの先端で前記弾き片を挟んで拘束する請求項１から３のいずれか一項に記載の駒弾き玩具。
【請求項８】
前記拘束部材は、前記拘束部材の推下動作に応じて前記駒の射出方向とは逆方向に移動可能に支持されたリング部材をさらに有する請求項１から３のいずれか一項に記載の駒弾き玩具。
【請求項９】
前記拘束部材は、前記弾き片を、前記駒を置かれた前記玩具本体と前記弾き片の先端との間隔が前記駒の幅よりも短くなるように拘束する請求項１に記載の駒弾き玩具。
【請求項１０】
前記拘束部材は、前記玩具本体に対して推下可能に支持された拘束部材である請求項９に記載の駒弾き玩具。
【発明の詳細な説明】
【技術分野】
【０００１】
本発明は、例えばビー玉など遊びに使う駒を弾いて遊ぶための玩具に関する。
【背景技術】
【０００２】
下記特許文献１には、ビー玉などの球体を弾いて遊ぶための弾き玩具が開示されている。この弾き玩具は、玩具本体と、前記玩具本体に設けられた一対の弾き片と、弾き片間に置かれた球体を押し出す押推部材とを備えている。一対の弾き片は、弧形の部材の対をなす二つの先端部分に相当する。弾き片の先端間の距離は、球体の直径よりも短い。【０００３】
ユーザは、まず弾き片間に球体を置き、玩具本体を手で押さえながら、押推部材を使って球体を弾き片の先端に向かって移動させる。球体が弾き片の先端に向かって移動する過程で、弾き片の先端はその弾性力に抗して双方間の距離を拡大される。球体を弾き片の先端に向かってさらに移動させると、最終的に球体は弾き片の弾性復元力によって弾き片の間から弾き出される。
【先行技術文献】
【特許文献】
【０００４】
【特許文献１】日本国特許第３１４９３３３号
【発明の概要】
【発明が解決しようとする課題】
【０００５】
上記弾き玩具では、球体を弾き出す力がほとんど弾き片の弾性復元力に依存している。そのため、球体を玩具本体から弾き出す力がほぼ一定で、玩具本体から弾き出される球体の速度もほぼ一定である。
【課題を解決するための手段】
【０００６】
本発明の駒弾き玩具は、玩具本体と、前記玩具本体に設けられた弾き片と、前記玩具本体上に置かれた駒を前記弾き片の先端に向かって移動させる押推部材と、前記玩具本体に変位可能に設けられ、ユーザに操作されることにより前記弾き片を拘束する拘束部材とを備える。前記玩具本体に装填された駒は、前記弾き片に作用する拘束力を利用して玩具本体から弾き出される。【０００７】
ユーザは、まず玩具本体内部に遊びに使う駒を装填し、玩具本体を手で押さえながら拘束部材を操作して、弾き片の先端を拘束する。そして、押推部材を使って駒を弾き片の先端に向かって移動させる。ところが、弾き片の先端は拘束部材を介してユーザの手により拘束されているので、結果的に押推部材を使った駒の移動を阻もうとする力が生じている。この力に抗して駒を弾き片の先端に向かってさらに移動させると、ユーザの手による拘束力に反して弾き部材の先端が変位する。そして、駒の中心が弾き部材と駒との接点よりも前に移動すると、駒はユーザの手により弾き片に作用する拘束力によって玩具本体から弾き出される。【０００８】
本発明において、前記弾き片は、玩具本体に対をなすように設けられていてもよいし、前記玩具本体にひとつだけ設けられていてもよい。前記弾き片が対をなす場合、前記拘束部材は、前記一対の弾き片を、これら弾き片の先端間の距離が前記駒の幅よりも短くなるように拘束する。例えば、駒に球体を使用するのなら、梗塞部材は弾き片の先端間の距離が球体の直径よりも短くなるように拘束する。
前記弾き片が前記玩具本体にひとつだけ設けられている場合、前記拘束部材は、前記弾き片の先端を、前記駒を置かれた前記玩具本体と前記弾き片の先端との間隔が前記駒の幅よりも短くなるように拘束する。
【発明の効果】
【０００９】
本発明によれば、ユーザが駒弾き玩具を手で押さえながら拘束部材を操作するとき、拘束部材への力の入れ方を加減することにより、ユーザの手により弾き片に作用する拘束力を調節することができる。これにより、駒を玩具本体から弾き出す力をユーザが任意に調整することができるので、玩具本体から弾き出される駒の速度に変化をつけることができる。その結果、駒弾き玩具を使った遊びの幅が広がり、ユーザの趣向性が高まる。
【図面の簡単な説明】
【００１０】
【図１】本発明の駒弾き玩具の第一実施形態を示す全体図である。
【図２】図１に示した駒弾き玩具の第一実施形態の平断面図である。
【図３Ａ】上記第一実施形態における球体を弾くメカニズムを説明する模式図である。
【図３Ｂ】同じく上記第一実施形態における球体を弾くメカニズムを説明する模式図である。
【図４】上記第一実施形態の第一変形例を示す幅方向の縦断面図である。
【図５】上記第一実施形態の第二変形例を示す平断面図である。
【図６】上記第一実施形態の第三変形例を示す幅方向の縦断面図である。
【図７】上記第一実施形態の第四変形例を示す幅方向の縦断面図である。
【図８】上記第一実施形態の第五変形例を示す平断面図である。
【図９】上記第一実施形態の第六変形例を示す平断面図である。
【図１０】上記第一実施形態の第七変形例を示す平断面図である。
【図１１】上記第一実施形態の第八変形例を示す平断面図である。
【図１２】本発明の駒弾き玩具の第二実施形態を示す長手方向の縦断面図である。
【発明を実施するための形態】
【００１１】
（第一実施形態）
本発明の駒弾き玩具の第一実施形態を図１から図３Ａおよび図３Ｂに示して以下に説明する。
図１、図２に示すように、本発明の第一実施形態は、例えばアニメーションのキャラクタを模した玩具本体１と、遊びに使う駒としての球体Ｂを弾く一対の弾き片２，３と、玩具本体１に装填された球体Ｂを押す押推部材５と、弾き片２，３の先端をそれぞれ拘束する拘束部材１０Ｌ，１０Ｒとを備えている。弾き片２，３、押推部材５および拘束部材１０Ｌ，１０Ｒは、いずれも玩具本体１に取り付けられている。
【００１２】
玩具本体１は、基部１ａを含むいくつかの部品に分解可能である。図２に示すように、基部１ａには、球体Ｂの射出ポート１ｃが形成されている。弾き片２，３は、射出ポート１ｃの両側にそれぞれ配設されている。
【００１３】
弾き片２は、球体Ｂが弾き出される方向、すなわち球体Ｂの射出方向に向かって射出ポート１ｃの左側に、基部１ａに固定されたピン４Ｌを介して仮想の水平面内で回動可能に軸支されている。弾き片２は、基端２ａから先端２ｂに向かうに従って徐々に幅が拡大し、頂点２ｃを境に今度は先端２ｂに向かうに従い幅が縮小するように形成されている。頂点２ｃは射出ポート１ｃに向かって突き出す弾き片２のコーナの先端に相当する。基端２ａから頂点２ｃに向かって延在する後方斜辺２ｄ、頂点２ｃから先端２ｂに向かって延在する前方斜辺２ｅはいずれも直線状に形成されている。
【００１４】
弾き片３は、球体Ｂの射出方向に向かって射出ポート１ｃの右側に、基部１ａに固定されたピン４Ｒを介して弾き片２と同一の水平面内で回動可能に軸支されている。弾き片３は、基端３ａから先端３ｂに向かうに従って徐々に幅が拡大し、頂点３ｃを境に今度は先端３ｂに向かうに従い幅が縮小するように形成されている。頂点３ｃは射出ポート１ｃに向かって突き出す弾き片３のコーナの先端に相当する。基端３ａから頂点３ｃに向かって延在する後方斜辺３ｄ、頂点３ｃから先端３ｂに向かって延在する前方斜辺３ｅはいずれも直線状に形成されている。
【００１５】
弾き片２，３は、球体Ｂの射出方向に沿う基部１ａの中心線Ｌｃを挟んで対称に配置されている。そして、弾き片２の頂点２ｃと弾き片３の頂点３ｃとを結ぶ仮想の直線Ｌ１は、中心線Ｌｃに対する弾き片２の角度が、中心線Ｌｃに対する弾き片３の角度と等しい条件の下では常に中心線Ｌｃに直交する。
【００１６】
また、ピン４Ｌ，４Ｒの間隔は球体Ｂの直径よりも明らかに広く、玩具本体１に装填された球体Ｂは、ピン４Ｌ，４Ｒにそれぞれ軸支された弾き片２，３の間を射出ポート１ｃに沿って移動可能である。
【００１７】
押推部材５は、射出ポート１ｃに対して基部１ａの後部に、球体Ｂの射出方向に差し込み可能に支持されている。押推部材５を玩具本体１に差し込むと、押推部材５の先端が射出ポート１ｃに突き出して射出ポート１ｃに装填された球体Ｂに接し、球体Ｂを弾き片２，３の先端に向かって移動させる。
押推部材５にはスプリング７が内蔵されている。スプリング７は、球体Ｂを弾き片２，３の先端に向かって移動させるべく押推部材５を玩具本体１に差し込むことにより、基部１ａと押推部材５との間で圧縮される。押推部材５に対する拘束が解消すると、スプリング７は圧縮により蓄積された弾力を解放し、押推部材５を初期位置に回帰させる。
【００１８】
拘束部材１０Ｌは、球体Ｂの射出方向に向かって射出ポート１ｃの左側、かつ射出ポート１ｃに対して弾き片２よりも外側に配設されており、基部１ａに、球体Ｂの射出方向と直交する方向に移動可能に支持されている。拘束部材１０Ｌを側方から玩具本体１に押し込むと、拘束部材１０Ｌの先端が弾き片２の外側縁に接し、弾き片２の先端部分が射出ポート１ｃに向かって移動する。
【００１９】
拘束部材１０Ｒは、球体Ｂの射出方向に向かって射出ポート１ｃの右側、かつ射出ポート１ｃに対して弾き片３よりも外側に配設されており、基部１ａに、球体Ｂの射出方向と直交する方向に移動可能に支持されている。拘束部材１０Ｒを側方から玩具本体１に押し込むと、拘束部材１０Ｒの先端が弾き片３の外側縁に接し、弾き片３の先端部分が射出ポート１ｃに向かって移動する。
【００２０】
拘束部材１０Ｌ，１０Ｒは、射出ポート１ｃを挟んで玩具本体１の両側に配置され、かつ拘束部材１０Ｌを押し込む方向と拘束部材１０Ｒを押し込む方向とは相反している。玩具本体１を手で掴むようにして拘束部材１０Ｌ，１０Ｒを同時に操作すると、弾き片２の頂点２ｃと弾き片３の頂点３ｃとが相互に接近する。弾き片２，３は、頂点２ｃ，３ｃ間の距離を球体Ｂの直径よりも短く維持した状態で拘束される。
【００２１】
まず、ユーザは、基平面上に置いた玩具本体１内部の射出ポート１ｃに球体Ｂを装填する。そして、玩具本体１を手で押さえながら、拘束部材１０Ｌ，１０Ｒを玩具本体１の両側から玩具本体１に押し込むように操作して、弾き片２，３を拘束する。これにより、頂点２ｃ，３ｃ間の距離は球体Ｂの直径よりも短くなる。
【００２２】
続いて、射出ポート１ｃに装填された球体Ｂを、押推部材５を使って弾き片２，３の先端に向かって移動させる。球体Ｂは、押推部材５に押されて射出ポート１ｃ上を射出方向前方に移動し、弾き片２の後方斜辺２ｄおよび弾き片３の後方斜辺３ｄに接する。ところが、弾き片２，３は拘束部材１０Ｌ，１０Ｒを介してユーザの手により拘束されているので、弾き片２，３には押推部材５を使った球体Ｂの移動を阻もうとする力が作用している。この力に抗して球体Ｂを弾き片２，３の先端に向かってさらに移動させると、球体Ｂが弾き片２，３の後方斜辺２ｄ，３ｄに接しているので、ユーザの手による拘束力に反して弾き片２，３の先端部分が、頂点２ｃ，３ｃ間の距離を拡げるように変位する。そして、球体Ｂの中心が頂点２ｃと頂点３ｃとを結ぶ仮想の直線Ｌ１よりも前に移動すると、球体Ｂは弾き片２，３の前方斜辺２ｅ，３ｅに接し、ユーザの手により弾き片２，３に作用する拘束力によって玩具本体１から射出方向前方に弾き出される。
【００２３】
球体Ｂが弾き出されるメカニズムについてさらに詳しく説明すると、まず、図３Ａに示すように、球体Ｂが弾き片２，３の後方斜辺２ｄ，３ｄに接している状態では、弾き片２，３から後方斜辺２ｄ，３ｄを介して球体Ｂに作用する力は、球体Ｂを中心線Ｌｃに直交する方向に押し合う成分と、球体Ｂを射出方向後方に押す成分とに分解される。この球体Ｂを射出方向後方に押す成分の総和が、押推部材５を使った球体Ｂの移動を阻もうとする力に相当する。
図３Ｂに示すように、球体Ｂが弾き片２，３の頂点２ｃ，３ｃを通過し、前方斜辺２ｅ，３ｅに接すると、弾き片２，３から前方斜辺２ｅ，３ｅを介して球体Ｂに作用する力は、球体Ｂを中心線Ｌｃに直交する方向に押し合う成分と、球体Ｂを射出方向前方に押す成分とに分解される。この球体Ｂを射出方向前方に押す成分の総和が、球体Ｂを玩具本体１から弾き出す力に相当する。
【００２４】
上記のように構成された駒弾き玩具によれば、ユーザが駒弾き玩具を手で押さえながら拘束部材１０Ｌ，１０Ｒを操作するとき、拘束部材１０Ｌ，１０Ｒへの力の入れ方を加減することにより、ユーザの手により弾き片２，３に作用する拘束力を調節することができる。つまり、ユーザが駒弾き玩具を手で強く押さえると、拘束部材１０Ｌ，１０Ｒも強い力で操作されるので、弾き片２，３に作用する拘束力も強まる。そのため、弾き片２，３を介して球体Ｂを射出方向前方に押す力も強まり、結果的に球体Ｂを玩具本体１から速く弾き出すことができる。
【００２５】
一方、ユーザが駒弾き玩具を押さえる力を弱めると、拘束部材１０Ｌ，１０Ｒを操作する力も弱まるので、弾き片２，３に作用する拘束力も弱まる。そのため、弾き片２，３を介して球体Ｂを射出方向前方に押す力も弱まり、結果的に球体Ｂを玩具本体１からゆっくりと弾き出すことができる。このように、球体Ｂを玩具本体１から弾き出す力をユーザが任意に調整することができるので、玩具本体１から弾き出される球体Ｂの速度に変化をつけることができる。その結果、駒弾き玩具を使った遊びの幅が広がり、ユーザの趣向性が高まる。
【００２６】
本発明の駒弾き玩具の第一実施形態には、下記のようにいくつかの変形例が存在する。それら変形例について以下に説明する。なお、上記第一実施形態において既に説明した構成要素には同一符号を付し、ここでの詳細な説明は省略する。
（第一変形例）
図４に示すように、上記第一実施形態の第一変形例は、拘束部材１６Ｌ，１６Ｒと、中継部１７Ｌ，１７Ｒとを備えている。
拘束部材１６Ｌは、球体Ｂの射出方向に向かって射出ポート１ｃの左側、かつ射出ポート１ｃに対して弾き片２よりも外側に配設されており、基部１ａ上に固定された上部材１ｂに、球体Ｂの射出方向と直交する方向（すなわち鉛直方向）に移動可能に支持されている。拘束部材１６Ｌの下部には、下方に向かうほど弾き片２から遠ざかる下向きの斜面１８ａが形成されている。
【００２７】
中継部１７Ｌは、弾き片２に一体形成され、拘束部材１６Ｌの下部に向かって突き出している。拘束部材１６Ｌの斜面１８ａに接する中継部１７Ｌの側部には、下方に向かうほど弾き片２から遠ざかる上向きの斜面１９ａが形成されている。拘束部材１６Ｌを上から玩具本体１に押し込むと、拘束部材１６Ｌの斜面１８ａが中継部１７Ｌの斜面１９ａに接し、拘束部材１６Ｌの下方への移動が、相互に接する斜面１８ａ，１９ａを介して、中継部１７Ｌを形成された弾き片２の横方向への移動に変換される。これにより、弾き片２の先端部分が射出ポート１ｃに向かって移動する。
【００２８】
拘束部材１６Ｒは、球体Ｂの射出方向に向かって射出ポート１ｃの右側、かつ射出ポート１ｃに対して弾き片３よりも外側に配設されており、上部材１ｂに、球体Ｂの射出方向と直交する方向（すなわち鉛直方向）に移動可能に支持されている。拘束部材１６Ｒの下部には、下方に向かうほど弾き片３から遠ざかる下向きの斜面１８ｂが形成されている。
【００２９】
中継部１７Ｒは、弾き片３に一体形成され、拘束部材１６Ｒの下部に向かって突き出している。拘束部材１６Ｒの斜面１８ｂに接する中継部１７Ｒの側部には、下方に向かうほど弾き片３から遠ざかる上向きの斜面１９ｂが形成されている。拘束部材１６Ｒを上から玩具本体１に押し込むと、拘束部材１６Ｒの斜面１８ｂが中継部１７Ｒの斜面１９ｂに接し、拘束部材１６Ｒの下方への移動が、相互に接する斜面１８ｂ，１９ｂを介して、中継部１７Ｒを形成された弾き片３の横方向への移動に変換される。これにより、弾き片３の先端部分が射出ポート１ｃに向かって移動する。
【００３０】
拘束部材１６Ｌ，１６Ｒは射出ポート１ｃを挟んで玩具本体１の両側に配置され、かつ拘束部材１６Ｌを押し込む方向と拘束部材１６Ｒを押し込む方向とは一致している。そのため、拘束部材１６Ｌ，１６Ｒを同時に操作し易い。拘束部材１６Ｌ，１６Ｒを同時に操作すると、弾き片２の頂点２ｃと弾き片３の頂点３ｃとが相互に接近する。弾き片２，３は、頂点２ｃ，３ｃ間の距離を球体Ｂの直径よりも短く維持した状態で拘束される。
【００３１】
まず、ユーザは、基平面上に置いた玩具本体１内部の射出ポート１ｃに球体Ｂを装填する。そして、玩具本体１を手で押さえながら、拘束部材１６Ｌ，１６Ｒを上から玩具本体１に押し込むように操作して、弾き片２，３を拘束する。続いて、押推部材５を使って球体Ｂを弾き片２，３の先端に向かって移動させる。
以後の動作は上記第一実施形態と実質的に同じなので、ここでの詳細な説明は省略する。
【００３２】
（第二変形例）
図５に示すように、上記第一実施形態の第二変形例は、レバー（本発明における拘束部材）２０Ｌ，２０Ｒと、中継部２１Ｌ，２１Ｒとを備えている。
レバー２０Ｌは、球体Ｂの射出方向に向かって射出ポート１ｃの左側、かつ射出ポート１ｃに対して弾き片２よりも外側に配設されており、基部１ａに、ピン２２Ｌを介して仮想の水平面内で回動可能に軸支されている。
【００３３】
中継部２１Ｌは、弾き片２に一体成形され、レバー２０Ｌの一端２４ａに向かって突き出している。中継部２１Ｌの側部には、球体Ｂの射出方向前方に向かうほど弾き片２から遠ざかる後ろ向きの斜面２３ａが形成されている。ピン２２Ｌに近いレバー２０Ｌの一端２４ａは、斜面２３ａに接している。レバー２０Ｌの他端を後方に引くように操作すると、レバー２０Ｌの一端２４ａが中継部２１Ｌの斜面２３ａを押推する。つまり、レバー２０Ｌの回動が、レバー２０Ｌの一端２４ａおよび斜面２３ａを介して、中継部２１Ｌを形成された弾き片２の横方向への移動に変換される。これにより、弾き片２の先端部分が射出ポート１ｃに向かって移動する。
【００３４】
レバー２０Ｒは、球体Ｂの射出方向に向かって射出ポート１ｃの右側、かつ射出ポート１ｃに対して弾き片３よりも外側に配設されており、基部１ａに、ピン２２Ｒを介して仮想の水平面内で回動可能に軸支されている。
【００３５】
中継部２１Ｒは、弾き片３に一体成形され、レバー２０Ｒの一端２４ｂに向かって突き出している。中継部２１Ｒの側部には、球体Ｂの射出方向前方に向かうほど弾き片３から遠ざかる後ろ向きの斜面２３ｂが形成されている。ピン２２Ｒに近いレバー２０Ｒの一端２４ｂは、斜面２３ｂに接している。レバー２０Ｒの他端を後方に引くように操作すると、レバー２０Ｒの一端２４ｂが中継部２１Ｒの斜面２３ｂを押推する。つまり、レバー２０Ｒの回動が、レバー２０Ｒの一端２４ｂおよび斜面２３ｂを介して、中継部２１Ｒを形成された弾き片３の横方向への移動に変換される。これにより、弾き片３の先端部分が射出ポート１ｃに向かって移動する。
【００３６】
レバー２０Ｌ，２０Ｒは、射出ポート１ｃを挟んで玩具本体１の両側に配置され、かつレバー２０Ｌの他端を引く方向とレバー２０Ｒの他端を引く方向とは一致している。そのため、レバー２０Ｌ，２０Ｒを同時に操作し易い。レバー２０Ｌ，２０Ｒを同時に操作すると、弾き片２の頂点２ｃと弾き片３の頂点３ｃとが相互に接近する。弾き片２，３は、頂点２ｃ，３ｃ間の距離を球体Ｂの直径よりも短く維持した状態で拘束される。
【００３７】
まず、ユーザは、基平面上に置いた玩具本体１内部の射出ポート１ｃに球体Ｂを装填する。そして、玩具本体１を手で押さえながら、レバー２０Ｌ，２０Ｒの他端を後方に引くように操作して、弾き片２，３を拘束する。続いて、射出ポート１ｃに装填された球体Ｂを、押推部材５を使って弾き片２，３の先端に向かって移動させる。
以後の動作は上記第一実施形態と実質的に同じなので、ここでの詳細な説明は省略する。
【００３８】
（第三変形例）
図６に示すように、上記第一実施形態の第三変形例は、レバー２５Ｌ，２５Ｒと、中継部２６Ｌ，２６Ｒとを備えている。
レバー２５Ｌは、球体Ｂの射出方向に向かって射出ポート１ｃの左側、かつ射出ポート１ｃに対して弾き片２よりも外側に配設されており、基部１ａに、ピン２７Ｌを介して仮想の垂直面内で回動可能に軸支されている。
【００３９】
中継部２６Ｌは、弾き片２に一体成形され、ピン２７Ｌに近いレバー２５Ｌの一端２９ａに向かって突き出している。中継部２６Ｌの側部には、上方に向かうほど弾き片２から遠ざかる下向きの斜面２８ａが形成されている。レバー２５Ｌの一端２９ａは、斜面２８ａに接している。レバー２５Ｌの他端を下方に倒すように操作すると、レバー２５Ｌの一端２９ａが中継部２６Ｌの斜面２８ａを押推する。つまり、レバー２５Ｌの回動が、レバー２５Ｌの一端２９ａおよび斜面２８ａを介して、中継部２６Ｌを形成された弾き片２の横方向への移動に変換される。これにより、弾き片２の先端部分が射出ポート１ｃに向かって移動する。
【００４０】
レバー２５Ｒは、球体Ｂの射出方向に向かって射出ポート１ｃの右側、かつ射出ポート１ｃに対して弾き片３よりも外側に配設されており、基部１ａに、ピン２７Ｒを介して仮想の水平面内で回動可能に軸支されている。
【００４１】
中継部２６Ｒは、弾き片３に一体成形され、ピン２７Ｒに近いレバー２５Ｒの一端２９ｂに向かって突き出している。中継部２６Ｒの側部には、上方に向かうほど弾き片３から遠ざかる下向きの斜面２８ｂが形成されている。レバー２５Ｒの一端２９ｂは、斜面２８ｂに接している。レバー２５Ｒの他端を下方に倒すように操作すると、レバー２５Ｒの一端２９ｂが中継部２６Ｒの斜面２８ｂを押推する。つまり、レバー２５Ｒの回動が、レバー２５Ｒの一端２９ｂおよび斜面２８ｂを介して、中継部２６Ｒを形成された弾き片３の横方向への移動に変換される。これにより、弾き片３の先端部分が射出ポート１ｃに向かって移動する。
【００４２】
レバー２５Ｌ，２５Ｒは、射出ポート１ｃを挟んで玩具本体１の両側に配置され、かつレバー２５Ｌを倒す方向とレバー２５Ｒを倒す方向とは一致している。そのため、レバー２５Ｌ，２５Ｒを同時に操作し易い。レバー２５Ｌ，２５Ｒを同時に操作すると、弾き片２の頂点２ｃと弾き片３の頂点３ｃとが相互に接近する。弾き片２，３は、頂点２ｃ，３ｃ間の距離を球体Ｂの直径よりも短く維持した状態で拘束される。
【００４３】
まず、ユーザは、基平面上に置いた玩具本体１内部の射出ポート１ｃに球体Ｂを装填する。そして、玩具本体１を手で押さえながら、レバー２５Ｌ，２５Ｒの他端を下方に倒すように操作して、弾き片２，３を拘束する。続いて、射出ポート１ｃに装填された球体Ｂを、押推部材５を使って弾き片２，３の先端に向かって移動させる。
以後の動作は上記第一実施形態と実質的に同じなので、ここでの詳細な説明は省略する。
【００４４】
（第四変形例）
図７に示すように、上記第一実施形態の第四変形例は、レバー３０Ｌ，３０Ｒと、中継部３１Ｌ，３１Ｒとを備えている。
レバー３０Ｌは、球体Ｂの射出方向に向かって射出ポート１ｃの左側、かつ射出ポート１ｃに対して弾き片２よりも外側に配設されており、基部１ａに、ピン３２Ｌを介して仮想の垂直面内で回動可能に軸支されている。
【００４５】
中継部３１Ｌは、弾き片２に一体成形され、ピン３２Ｌに近いレバー３０Ｌの一端３４ａに向かって突き出している。中継部３１Ｌの側部には、下方に向かうほど弾き片２から遠ざかる上向きの斜面３３ａが形成されている。レバー３０Ｌの一端３４ａは、斜面３３ａに接している。レバー３０Ｌの他端は下方に折れ曲がるように形成されている。レバー３０Ｌの他端を上方に倒すように操作すると、レバー３０Ｌの一端３４ａが中継部３１Ｌの斜面３３ａを押推する。つまり、レバー３０Ｌの回動が、レバー３０Ｌの一端３４ａおよび斜面３３ａを介して、中継部３１Ｌを形成された弾き片２の横方向への移動に変換される。これにより、弾き片２の先端部分が射出ポート１ｃに向かって移動する。
【００４６】
レバー３０Ｒは、球体Ｂの射出方向に向かって射出ポート１ｃの右側、かつ射出ポート１ｃに対して弾き片３よりも外側に配設されており、基部１ａに、ピン３２Ｒを介して仮想の水平面内で回動可能に軸支されている。
【００４７】
中継部３１Ｒは、弾き片２に一体成形され、ピン３２Ｒに近いレバー３０Ｒの一端３４ｂに向かって突き出している。中継部３１Ｒの側部には、下方に向かうほど弾き片３から遠ざかる上向きの斜面３３ｂが形成されている。レバー３０Ｒの一端３４ｂは、斜面３３ｂに接している。レバー３０Ｒの他端は下方に折れ曲がるように形成されている。レバー３０Ｒの他端を上方に倒すように操作すると、レバー３０Ｒの一端３４ｂが中継部３１Ｒの斜面３３ｂを押推し、レバー３０Ｒの回動が、レバー３０Ｒの一端３４ｂおよび斜面３３ｂを介して、中継部３１Ｒを形成された弾き片３の横方向への移動に変換される。これにより、弾き片３の先端部分が射出ポート１ｃに向かって移動する。
【００４８】
レバー３０Ｌ，３０Ｒは、射出ポート１ｃを挟んで玩具本体１の両側に配置されており、レバー３０Ｌ，３０Ｒを同時に操作すると、弾き片２の頂点２ｃと弾き片３の頂点３ｃとが相互に接近する。弾き片２，３は、頂点２ｃ，３ｃ間の距離を球体Ｂの直径よりも短く維持した状態で拘束される。
【００４９】
まず、ユーザは、基平面上に置いた玩具本体１内部の射出ポート１ｃに球体Ｂを装填する。そして、玩具本体１を手で押さえると、下方に折れ曲がったレバー３０Ｌ，３０Ｒの他端が基平面に当接し、基平面からレバー３０Ｌ，３０Ｒに作用する反力によってレバー３０Ｌ，３０Ｒが上方に回動する。これにより、弾き片２，３が拘束される。続いて、射出ポート１ｃに装填された球体Ｂを、押推部材５を使って弾き片２，３の先端に向かって移動させる。
以後の動作は上記第一実施形態と実質的に同じなので、ここでの詳細な説明は省略する。
【００５０】
特に、この第四変形例によれば、基平面上に置いた玩具本体１を手で押さえるだけで弾き片２，３が拘束されるので、駒弾き玩具を片手でも操作することが可能である。
【００５１】
（第五変形例）
図８に示すように、上記第一実施形態の第五変形例は、タブ部材（本発明における拘束部材）３５Ｌ，３５Ｒと、中継部３６Ｌ，３６Ｒとを備えている。
タブ部材３５Ｌは、球体Ｂの射出方向に向かって射出ポート１ｃの左側、かつ射出ポート１ｃに対して弾き片２よりも外側に配設されており、基部１ａに、球体Ｂの射出方向と直交する方向（すなわち横方向）にスライド可能に支持されている。タブ部材３５Ｌの一端は玩具本体１から突き出している。タブ部材３５Ｌの他端には、ラック３７ａが形成されている。
【００５２】
中継部３６Ｌは、弾き片２に、タブ部材３５Ｌと平行となるように一体成形されている。中継部３６Ｌには、ラック３７ａに向き合うようにラック３８ａが形成されている。基部１ａには、ラック３７ａ，３８ａに噛み合うピニオンギア３９ａが回転可能に軸支されている。タブ部材３５Ｌの他端を玩具本体１から引き出すように操作すると、タブ部材３５Ｌの変位がラック３７ａ、ピニオンギア３９ａ、ラック３８ａを介して中継部３６Ｌに伝達され、中継部３６Ｌを形成された弾き片２の横方向、つまりタブ部材３５Ｌとは逆方向への移動に変換される。これにより、弾き片２の先端部分が射出ポート１ｃに向かって移動する。
【００５３】
タブ部材３５Ｒは、球体Ｂの射出方向に向かって射出ポート１ｃの右側、かつ射出ポート１ｃに対して弾き片３よりも外側に配設されており、基部１ａに、球体Ｂの射出方向と直交する方向（すなわち横方向）にスライド可能に支持されている。タブ部材３５Ｒの一端は玩具本体１から突き出している。タブ部材３５Ｒの他端には、ラック３７ｂが形成されている。
【００５４】
中継部３６Ｒは、弾き片３に、タブ部材３５Ｒと平行となるように一体成形されている。中継部３６Ｒには、ラック３７ｂに向き合うようにラック３８ｂが形成されている。基部１ａには、ラック３７ｂ，３８ｂに噛み合うピニオンギア３９ｂが回転可能に軸支されている。タブ部材３５Ｒの他端を玩具本体１から引き出すように操作すると、タブ部材３５Ｒの変位がラック３７ｂ、ピニオンギア３９ｂ、ラック３８ｂを介して中継部３６Ｒに伝達され、中継部３６Ｒを形成された弾き片３の横方向、つまりタブ部材３５Ｒとは逆方向への移動に変換される。これにより、弾き片３の先端部分が射出ポート１ｃに向かって移動する。
【００５５】
タブ部材３５Ｌ，３５Ｒは、射出ポート１ｃを挟んで玩具本体１の両側に配置されており、タブ部材３５Ｌ，３５Ｒを同時に操作すると、弾き片２の頂点２ｃと弾き片３の頂点３ｃとが相互に接近する。弾き片２，３は、頂点２ｃ，３ｃ間の距離を球体Ｂの直径よりも短く維持した状態で拘束される。
【００５６】
まず、ユーザは、基平面上に置いた玩具本体１内部の射出ポート１ｃに球体Ｂを装填する。そして、タブ部材３５Ｌ，３５Ｒを玩具本体１から引き出すように操作して、弾き片２，３を拘束する。続いて、押推部材５を使って球体Ｂを弾き片２，３の先端に向かって移動させる。
以後の動作は上記第一実施形態と実質的に同じなので、ここでの詳細な説明は省略する。
【００５７】
（第六変形例）
図９に示すように、上記第一実施形態の第六変形例は、第一および第二バー（本発明における拘束部材）４０Ｆ，４０Ｓを備えている。二本のバー４０Ｆ，４０Ｓは、射出ポート１ｃに対して基部１ａの後部に固定されたピン４１を介して結合されている。
第一バー４０Ｆの先端は、球体Ｂの射出方向に向かって射出ポート１ｃの左側に向かって延び、弾き片２の外側に接している。一方、第二バー４０Ｓの先端は、球体Ｂの射出方向に向かって射出ポート１ｃの右側に向かって延び、弾き片３の外側に接している。第一バー４０Ｆの基端は、ピン４１を介して射出ポート１ｃの右側に延び、第二バー４０Ｓの基端は、ピン４１を介して射出ポート１ｃの左側に延びている。
【００５８】
第一および第二バー４０Ｆ，４０Ｓの基端を相互に近づけると、第一および第二バー４０Ｆ，４０Ｓの先端が弾き片２，３を挟み、弾き片２の頂点２ｃと弾き片３の頂点３ｃとが相互に接近する。弾き片２，３は、頂点２ｃ，３ｃ間の距離を球体Ｂの直径よりも短く維持した状態で拘束される。
【００５９】
まず、ユーザは、基平面上に置いた玩具本体１内部の射出ポート１ｃに球体Ｂを装填する。そして、第一および第二バー４０Ｆ，４０Ｓの基端に人差し指と中指とを掛ける。続いて、親指を使って押推部材５を玩具本体１に押し込む。このとき、人差し指と中指から第一および第二バー４０Ｆ，４０Ｓの基端に作用する反力によって、第一および第二バー４０Ｆ，４０Ｓの先端が相互に近づくように操作される。これにより、弾き片２，３が拘束される。続いて、射出ポート１ｃに装填された球体Ｂを、押推部材５を使って弾き片２，３の先端に向かって移動させる。
以後の動作は上記第一実施形態と実質的に同じなので、ここでの詳細な説明は省略する。
【００６０】
特に、この第六変形例によれば、あたかも注射器を操作するように、駒弾き玩具を片手でも操作することが可能である。
【００６１】
（第七変形例）
図１０に示すように、上記第一実施形態の第七変形例は、拘束部材４２Ｌ，４２Ｒと、中継部４３Ｌ，４３Ｒと、リング部材４４とを備えている。
拘束部材４２Ｌは、球体Ｂの射出方向に向かって射出ポート１ｃの左側、かつ射出ポート１ｃに対して弾き片２よりも外側に配設されており、基部１ａに、球体Ｂの射出方向と直交する方向（すなわち横向）に移動可能に支持されている。拘束部材４２Ｌの内側には、球体Ｂの射出方向前方に向かうほど基部１ａの中心線Ｌｃに近づく斜面４５ａが形成されている。
一方、拘束部材４２Ｒは、球体Ｂの射出方向に向かって射出ポート１ｃの右側、かつ射出ポート１ｃに対して弾き片３よりも外側に配設されており、基部１ａに、球体Ｂの射出方向と直交する方向（すなわち横向）に移動可能に支持されている。拘束部材４２Ｒの内側には、球体Ｂの射出方向前方に向かうほど基部１ａの中心線Ｌｃに近づく斜面４５ｂが形成されている。
【００６２】
中継部４３Ｌは、弾き片２に一体形成されている。中継部４３Ｌには、球体Ｂの射出方向後方に向かうほど弾き片２から遠ざかる斜面４６ａが形成されている。一方、中継部４３Ｒは、弾き片３に一体形成されている。中継部４３Ｒには、球体Ｂの射出方向後方に向かうほど弾き片３から遠ざかる斜面４６ｂが形成されている。
リング部材４４は、拘束部材４２Ｌ，４２Ｒ間に、リング部材４４の中心が中心線Ｌｃと平行に配置され、基部１ａに対して球体Ｂの射出方向とは逆方向に移動可能である。リング部材４４の外周は拘束部材４２Ｌ，４２Ｒの斜面４５ａ，４５ｂに接し、内周は中継部４３Ｌ，４３Ｒの斜面４６ａ，４６ｂに接している。
【００６３】
拘束部材４２Ｌ，４２Ｒは、射出ポート１ｃを挟んで玩具本体１の両側に配置され、かつ拘束部材４２Ｌを押し込む方向と拘束部材４２Ｒを押し込む方向とは一致している。拘束部材４２Ｌ，４２Ｒを同時に操作すると両者が相互に接近し、拘束部材４２Ｌの斜面４５ａと拘束部材４２Ｒの斜面４５ｂとの間隔が狭まる。斜面４５ａ，４５ｂの間隔が狭まると、リング部材４４は球体Ｂの射出方向後方に移動し、中継部４３Ｌ，４３Ｒを介して弾き片２，３を相互に接近させる。これにより、弾き片２，３は、頂点２ｃ，３ｃ間の距離を球体Ｂの直径よりも短く維持した状態で拘束される。
【００６４】
まず、ユーザは、基平面上に置いた玩具本体１内部の射出ポート１ｃに球体Ｂを装填する。そして、玩具本体１を手で押さえながら、拘束部材４２Ｌ，４２Ｒを玩具本体１の両側から玩具本体１に押し込むように操作して、弾き片２，３を拘束する。続いて、押推部材５を使って球体Ｂを弾き片２，３の先端に向かって移動させる。
以後の動作は上記第一実施形態と実質的に同じなので、ここでの詳細な説明は省略する。
【００６５】
（第八変形例）
図１１に示すように、上記第一実施形態の第八変形例は、拘束部材４６を備えている。なお、ふたつの弾き片２，３のうち、一方の弾き片３は定位置に固定されている。
拘束部材４６は、球体Ｂの射出方向に向かって射出ポート１ｃの左側、かつ射出ポート１ｃに対して弾き片２よりも外側に配設されており、基部１ａに、球体Ｂの射出方向と直交する方向（すなわち横方向）に移動可能に支持されている。
【００６６】
まず、ユーザは、基平面上に置いた玩具本体１内部の射出ポート１ｃに球体Ｂを装填する。そして、玩具本体１を手で押さえながら、拘束部材４６を側方から玩具本体１に押し込むように操作して、弾き片２を拘束する。続いて、押推部材５を使って球体Ｂを弾き片２，３の先端に向かって移動させる。
以後の動作は上記第一実施形態と実質的に同じなので、ここでの詳細な説明は省略する。
【００６７】
上記第一から第八変形例を含む本発明の第一実施形態において、弾き片２，３は、ピン４Ｌ，４Ｒを介して回動可能に軸支されている。ところで、対をなす二つの弾き片を、従来のように弧形に形成されたひとつの部品で構成してもよい。この場合、弾き片２，３の先端間の距離は、球体Ｂの直径よりも長いことが好ましい。このようにすれば、球体Ｂを玩具本体１から弾き出した後、拘束部材に加えた力を弱めると、弾き片２，３が弧形部品の弾性復元力によって初期位置に戻ろうとし、結果的に拘束部材をも初期位置に回帰させる。
【００６８】
（第二実施形態）
本発明の駒弾き玩具の第二実施形態を図１３に示して以下に説明する。
本発明の第二実施形態は、玩具本体１１と、駒としての球体Ｂを弾くひとつの弾き片１２と、玩具本体１に装填された球体Ｂを押す押推部材１５と、弾き片１２の先端を拘束する拘束部材５０とを備えている。弾き片１２、押推部材１５および拘束部材５０は、いずれも玩具本体１１に取り付けられている。
【００６９】
玩具本体１１の基部１１ａには、球体Ｂの射出ポート１１ｃが形成されている。弾き片１２は、基部１１ａの上部品に固定されたピン１４を介して仮想の垂直面内で回動可能に軸支されている。弾き片１２の形状は、第一実施形態における弾き片２，３と同じなので、ここでの詳細な説明は省略する。
射出ポート１１ｃとピン１４との間隔は球体Ｂの直径よりも明らかに広く、射出ポート１１ｃに置かれた球体Ｂは、ピン１４に軸支された弾き片１２と射出ポート１１ｃとの間を、弾き片１２の先端に向かって移動可能である。
押推部材１５の構造は、第一実施形態における押推部材５と同じなので、やはりここでの詳細な説明は省略する。
【００７０】
拘束部材５０は、射出ポート１１ｃに対して弾き片１２よりも上側に配設されており、上部材１１ｂに、球体Ｂの射出方向と直交する方向（すなわち鉛直方向）に移動可能に支持されている。拘束部材５０を玩具本体１１に押し込むと、拘束部材５０の先端が弾き片１２の上側縁に接し、弾き片１２の先端部分を射出ポート１１ｃに向かって回動させる。
【００７１】
拘束部材５０を操作すると、弾き片１２の頂点１２ｃが、射出ポート１１ｃに接近する。弾き片１２は、頂点１２ｃと射出ポート１１ｃとの間隔を球体Ｂの直径よりも短く維持した状態で拘束される。
【００７２】
ユーザは、基平面上に置いた玩具本体１１内部の射出ポート１１ｃに球体Ｂを装填する。そして、玩具本体１１を手で押さえながら、拘束部材５０を上から玩具本体１１に押し込むように操作して、弾き片１２を拘束する。これにより、頂点１２ｃと射出ポート１１ｃとの間隔が球体Ｂの直径よりも短くなる。
続いて、射出ポート１ｃに装填された球体Ｂを、押推部材５を使って弾き片１２の先端に向かって移動させる。球体Ｂは、押推部材１５に押されて射出ポート１１ｃ上を射出方向前方に移動し、弾き片１２の後方斜辺１２ｄに接する。ところが、弾き片１２は拘束部材５０を介してユーザの手により拘束されているので、弾き片１２には押推部材１５を使った球体Ｂの移動を阻もうとする力が作用している。この力に抗して球体Ｂを弾き片１２の先端に向かってさらに移動させると、球体Ｂが弾き片１２の後方斜辺１２ｄに接しているので、ユーザの手による拘束力に反して弾き片１２の先端部分が、頂点１２ｃと射出ポート１１ｃとの間隔を拡げるように変位する。そして、球体Ｂの中心が頂点１２ｃから射出ポート１１ｃに降ろした仮想の垂線Ｌ２よりも前に移動すると、球体Ｂは弾き片１２の前方斜辺１２ｅに接し、ユーザの手により弾き片１２に作用する拘束力によって玩具本体１１から射出方向前方に弾き出される。
【００７３】
上記のように構成された駒弾き玩具によれば、ユーザが駒弾き玩具を手で押さえながら拘束部材５０を操作するとき、拘束部材５０への力の入れ方を加減することにより、ユーザの手により弾き片１２に作用する拘束力を調節することができる。つまり、球体Ｂを玩具本体１１から弾き出す力をユーザが任意に調整することができるので、玩具本体１１から弾き出される球体Ｂの速度に変化をつけることができる。その結果、駒弾き玩具を使った遊びの幅が広がり、ユーザの趣向性が高まる。
【００７４】
また、上記第一から第八変形例を含む本発明の第一実施形態、および第二実施形態のすべてにおいて、遊びの駒として球体Ｂを使う弾き玩具について説明したが、駒に使用できる物は球体だけではない。例えば円盤など、表面の一部に丸い面を含む物体であれば、どのようなものでも使用可能である。
【００７５】
以上、本発明の好ましい実施形態を説明したが、本発明は上記の実施形態に限定されることはない。本発明の趣旨を逸脱しない範囲で、構成の付加、省略、置換、およびその他の変更が可能である。本発明は前述した説明によって限定されることはなく、添付のクレームの範囲によってのみ限定される。
【産業上の利用可能性】
【００７６】
本発明は、玩具本体と、前記玩具本体に設けられた弾き片と、前記玩具本体上に置かれた駒を前記弾き片の先端に向かって移動させる押推部材と、前記玩具本体に変位可能に設けられ、ユーザに操作されることにより前記弾き片を拘束する拘束部材とを備え、前記駒を、前記弾き片に作用する拘束力を利用して弾く駒弾き玩具に関する。
本発明によれば、駒を玩具本体から弾き出す力をユーザが任意に調整することができるので、駒弾き玩具を使った遊びの幅が広がり、ユーザの趣向性が高まる。
【符号の説明】
【００７７】
１  玩具本体、
２，３  弾き片、
５  押推部材、
１０Ｌ，１０Ｒ  拘束部材、
１１  玩具本体、
１２  弾き片、
１５  押推部材、
５０  拘束部材、
Ｂ  球体（駒）
【図１】
2013114534.tif 000003
【図２】
2013114534.tif 000004
【図３Ａ】
2013114534.tif 000005
【図３Ｂ】
2013114534.tif 000006
【図４】
2013114534.tif 000007
【図５】
2013114534.tif 000008
【図６】
2013114534.tif 000009
【図７】
2013114534.tif 000010
【図８】
2013114534.tif 000011
【図９】
2013114534.tif 000012
【図１０】
2013114534.tif 000013
【図１１】
2013114534.tif 000014
【図１２】
2013114534.tif 000015
【国際調査報告】
2013114534.tif 000016
2013114534.tif 000017
2013114534.tif 000018